(57)【要約】【課題】  美観を損ねることなく、透明な部材によって形成された遊技盤のベース板上に可変入賞装置を配置することができる弾球遊技機を提供する。【解決手段】  本発明に係る弾球遊技機は、一部の領域が透明な透明部を有するベース板と、透明部上に形成された遊技領域内に配置され、遊技球を受け入れ易い状態に変化可能な可変入賞装置とを有する遊技盤を具備し、始動口ユニットが、ベース板の正面側に取り付けられる始動口取付板４０ａと、遊技球を受け入れ易い状態に変化する可変翼片４０ｂと、ベース板の背面側であって、正面側から見て始動口取付板４０ａと重なり合う位置に設けられ、可変翼片４０ｂを駆動する始動口ソレノイド４０ｃとによって構成され、ベース板の背面側に設けられ、少なくともベース板の正面側から視認可能な始動口ソレノイド４０ｃなどの側面を被覆する被覆部材６０を備える。【選択図】  図３
2005192576.tif 000002
【特許請求の範囲】
【請求項１】
少なくとも一部の領域が透明な透明部を有するベース板と、前記ベース板の透明部上に形成された遊技領域内に配置され、遊技球を受け入れ易い第１の状態または遊技球を受け入れ難い第２の状態に変化可能な可変入賞装置とを有する遊技盤を具備する弾球遊技機であって、
前記可変入賞装置は、前記ベース板の正面側に取り付けられる取付部材と、前記取付部材に取り付けられ、前記第１の状態または前記第２の状態に変化する可動部材と、前記ベース板の背面側であって、正面側から見て前記取付部材と重なり合う位置に設けられ、前記可動部材を駆動する駆動部とによって構成され、
前記ベース板の背面側に設けられ、少なくとも前記ベース板の正面側から視認可能な前記駆動部の側面を被覆する被覆部材を備えたことを特徴とする弾球遊技機。
【請求項２】
前記可変入賞装置は、第１の可変入賞装置と、当該第１の可変入賞装置の下方に近接して設けられた第２の可変入賞装置とであり、
前記被覆部材は、前記第１の可変入賞装置を構成する前記駆動部の側面を被覆する第１の被覆部と、前記第２の可変入賞装置を構成する前記駆動部の側面を被覆する第２の被覆部とによって形成されていることを特徴とする請求項１に記載の弾球遊技機。
【請求項３】
前記被覆部材は、当該被覆部材を装飾する装飾シートを貼り付け可能な貼付領域を有することを特徴とする請求項１または請求項２に記載の弾球遊技機。
【発明の詳細な説明】
【技術分野】
【０００１】
本発明は、遊技領域内を遊技球が流下するパチンコ機などの弾球遊技機に関し、特に、遊技領域を構成する遊技盤のベース板として、透明性を有する部材が用いられる弾球遊技機に関する。
【背景技術】
【０００２】
従来、遊技盤などの遊技領域内の所定領域（例えば、始動口や大入賞口）を遊技球が通過するパチンコ機などの弾球遊技機の中には、遊技盤のベース板として、一部に透明性を有する部材が用いられ、この透明性を有する部材を用いて形成された領域の背面側に液晶表示装置などの表示装置が設けられた弾球遊技機が存在する（例えば、特許文献１）。
【特許文献１】特開２０００−６１０４９号公報
【発明の開示】
【発明が解決しようとする課題】
【０００３】
ところで、昨今、遊技の演出効果をさらに高めるため、大型の表示装置を用いて、遊技盤上のより広い領域において画像を表示させることが検討されている。さらに、遊技盤に透明性を有する部材を用いることによって、遊技盤の背面側をも遊技領域として利用することも検討されている。
【０００４】
しかしながら、かかる場合、遊技盤の前面側に配置される始動口や大入賞口などの可変入賞装置を開閉動作させるために、遊技盤の背面側に設けられるソレノイドなど、雑然とした印象を遊技者に与える駆動部が、遊技者に視認されてしまうこととなり、弾球遊技機の美観を損ねるといった問題があった。
【０００５】
そこで、本発明は、このような状況に鑑みてなされたものであり、弾球遊技機の美観を損ねることなく、透明な部材によって形成された遊技盤のベース板上に可変入賞装置を配置することができる弾球遊技機を提供することを目的とする。
【課題を解決するための手段】
【０００６】
上述した課題を解決するため、本発明は、次のような特徴を備えている。すなわち、本発明の第１の特徴は、少なくとも一部の領域が透明な透明部を有するベース板と、前記ベース板の透明部上に形成された遊技領域内に配置され、遊技球を受け入れ易い第１の状態または遊技球を受け入れ難い第２の状態に変化可能な可変入賞装置とを有する遊技盤を具備する弾球遊技機であって、前記可変入賞装置が、前記ベース板の正面側に取り付けられる取付部材と、前記取付部材に取り付けられ、前記第１の状態または前記第２の状態に変化する可動部材と、前記ベース板の背面側であって、正面側から見て前記取付部材と重なり合う位置に設けられ、前記可動部材を駆動する駆動部とによって構成され、前記ベース板の背面側に設けられ、少なくとも前記ベース板の正面側から視認可能な前記駆動部の側面を被覆する被覆部材を備えたことを要旨とする。
【０００７】
かかる特徴によれば、ソレノイドなどによって構成される可変入賞装置の駆動部の露出を抑制することができるため、遊技者は、当該駆動部を視認困難となり、弾球遊技機の美観を向上させることができる。
【０００８】
本発明の第２の特徴は、可変入賞装置が、第１の可変入賞装置と、当該第１の可変入賞装置の下方に近接して設けられた第２の可変入賞装置とであり、被覆部材が、第１の可変入賞装置を構成する駆動部の側面を被覆する第１の被覆部と、第２の可変入賞装置を構成する駆動部の側面を被覆する第２の被覆部とによって形成されていることを要旨とする。
【０００９】
かかる特徴によれば、被覆部材が、第１の被覆部と第２の被覆部とによって、一体成形されていることにより、複数の可変入賞装置が近接して遊技盤に設けられている際に、複数の可変入賞装置に対応する被覆部材をそれぞれ設ける場合に比べ、被覆部材の製造コストを低減することができる。
【００１０】
本発明の第３の特徴は、被覆部材が、当該被覆部材を装飾する装飾シートを貼り付け可能な貼付領域を有することを要旨とする。
【００１１】
かかる特徴によれば、被覆部材が、装飾シートを貼り付け可能な貼付領域を有することにより、貼付領域に装飾シートを貼り付けて、遊技機の美観を更に高めることができる。
【発明の効果】
【００１２】
本発明によれば、弾球遊技機の美観を損ねることなく、透明な部材によって形成された遊技盤のベース板上に可変入賞装置を配置することができる弾球遊技機を提供することができる。
【発明を実施するための最良の形態】
【００１３】
次に、図面を参照して、本実施形態を説明する。以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきものである。また、図面相互間においても互いの寸法の関係や比率が異なる部分が含まれていることは勿論である。
【００１４】
（弾球遊技機の全体構成）
まず、図１を参照して、本実施形態に係る弾球遊技機の全体構成について説明する。図１は、本実施形態に係る弾球遊技機１０の全体斜視図である。同図に示すように、弾球遊技機１０は、遊技場の島設備に弾球遊技機１０を設置するために設けられている外枠１と、開閉可能に外枠１に軸支されているベースドア２と、遊技領域４ａを形成する遊技盤４と、開閉可能にベースドア２に軸支されているガラス扉３とを備えている。
【００１５】
遊技盤４上には、遊技球が入球することによって所定数の遊技球（例えば、５個）が賞球として払出されるとともに、特別図柄の可変表示が開始されるように構成されている始動口ユニット４０と、遊技状態が大当り遊技状態となったときに所定の態様で開閉し、遊技球が入球することによって所定数（例えば、１５個）の遊技球が賞球として払い出されるように構成されている大入賞口ユニット５０とが配置されている。また、遊技盤４上には、遊技球が入球することによって所定数の遊技球（例えば、１０個）が賞球として払出されるように構成された一般入賞口７０ａ〜一般入賞口７０ｄと、始動口ユニット４０及び大入賞口ユニット５０及び一般入賞口７０ａ〜一般入賞口７０ｄ等に入賞しなかった遊技球を受け入れるアウト口７２とが配置されている。
【００１６】
なお、本実施形態では、始動口ユニット４０ならびに大入賞口ユニット５０は、後述するベース板４ｂの透明部上に形成された遊技領域４ａ内に配置され、遊技球を受け入れ易い第１の状態（開状態）または遊技球を受け入れ難い第２の状態（閉状態）に変化可能な可変入賞装置を構成する。
【００１７】
また、ベースドア２には、特別図柄の可変表示を行ったり、デモ画像の表示を行ったりする液晶表示装置（図２に示す液晶表示装置５）が設けられており、遊技者が、遊技盤４（ベース板４ｂ）を介して、液晶表示装置５に表示される画像を視認できるように構成される。
【００１８】
（遊技盤の構成）
次に、図２を参照して、本実施形態に係る弾球遊技機１０に備えられる遊技盤４の構成について説明する。図２は、本実施形態に係る弾球遊技機１０に備えられる遊技盤４の斜視図である。同図に示すように、遊技盤４は、少なくとも一部の領域が透明な透明部を有するベース板４ｂを有し、ベース板４ｂの透明部上に形成された遊技領域４ａ内に配置され、遊技球を受け入れ易い第１の状態（開状態）または遊技球を受け入れ難い第２の状態（閉状態）に変化可能な可変入賞装置を構成する始動口ユニット４０及び大入賞口ユニット５０を有している。
【００１９】
また、遊技盤４は、ベース板４ｂの背面側に設けられた背面側ステージ４ｅと、ベース板４ｂの前面側に設けられた前面側ステージ４ｆと、遊技領域４ａに発射された遊技球を前面側ステージ４ｆ上に誘導するワープ口４ｇと、一般入賞口７０ａ〜一般入賞口７０ｄに入賞した遊技球をベース板４ｂの背面側に誘導する一般入賞球誘導口７１ａ〜一般入賞球誘導口７１ｄとを有する。
【００２０】
具体的には、ベース板４ｂは、アクリル板やポリカーボネートなどの透明性を有する部材を用いて形成される。また、遊技者が正対するベース板４ｂの正面側には、遊技球が流下する遊技領域４ａが形成され、始動口取付板４０ａや大入賞口取付板５０ａが取り付けられ、遊技球の流下方向を変化させる釘（不図示）などが配植されている。
【００２１】
なお、本実施形態では、始動口取付板４０ａ及び大入賞口取付板５０ａは、ベース板４ｂの正面側に取り付けられる取付部材を構成する。
【００２２】
また、ベース板４ｂの背面側には、スペーサ６を介して液晶表示装置５が配置されている。具体的には、スペーサ６は、ベース板４ｂと液晶表示装置５との間に、後述する始動口ソレノイド４０ｃや大入賞口ソレノイド５０ｃ等を設けるためのスペースを形成するための部材である。また、液晶表示装置５は、デモ画像や特別図柄の可変表示や所定の演出（大当り演出やリーチ演出等）に係る画像を表示する。
【００２３】
（可変入賞装置の構成）
次に、図３乃至図５を参照して、本実施形態に係る可変入賞装置を構成する始動口ユニット４０及び大入賞口ユニット５０の構成について説明する。図３は、始動口ユニット４０（始動口取付板４０ａ，可変翼片４０ｂ）、大入賞口ユニット５０（大入賞口取付板５０ａ，大入賞口扉５０ｂ）及び被覆部材６０の全体斜視図である。
【００２４】
同図に示すように、本実施形態では、始動口ユニット４０及び大入賞口ユニット５０は互いに近接して設けられ、始動口ユニット４０の下方に近接して大入賞口ユニット５０が位置するように構成される。なお、近接とは、後述する始動口ソレノイド４０ｃの側面を被覆する被覆部材と、大入賞口ソレノイド５０ｃの側面を被覆する被覆部材とを一体成形した場合に、始動口ソレノイド４０ｃ及び大入賞口ソレノイド５０ｃにそれぞれ対応して被覆部材を設けるよりも、被覆部材の製造コストが安くなる程度に近接していることをいう。
【００２５】
始動口ユニット４０は、図２に示したベース板４ｂに取り付けられる始動口取付板４０ａと、始動口取付板４０ａに取り付けられ、後述する始動口ソレノイド４０ｃが駆動することによって、遊技球を受け入れ易い開状態または遊技球を受け入れ難い閉状態に変化する可変翼片４０ｂとを備えている。
【００２６】
また、大入賞口ユニット５０は、図２に示したベース板４ｂに取り付けられる大入賞口取付板５０ａと、大入賞口取付板５０ａに取り付けられ、後述する大入賞口ソレノイド５０ｃが駆動することによって、遊技球を受け入れ易い開状態または遊技球を受け入れ難い閉状態に変化する大入賞口扉５０ｂとを備えている。
【００２７】
なお、本実施形態では、可変翼片４０ｂ及び大入賞口扉５０ｂは、取付部材（始動口取付板４０ａ，大入賞口取付板５０ａ）に取り付けられ、遊技球を受け入れ易い第１の状態または遊技球を受け入れ難い第２の状態に変化する可動部材を構成する。
【００２８】
なお、本実施形態では、始動口ユニット４０は、第１の可変入賞装置を構成し、大入賞口ユニット５０は、第１の可変入賞装置の下方に近接して設けられた第２の可変入賞装置を構成する。
【００２９】
また、被覆部材６０は、図２に示したベース板４ｂの背面側に設けられ、ベース板４ｂの背面側に設けられる始動口ソレノイド４０ｃ及び大入賞口ソレノイド５０ｃや、リンク部材などの始動口ユニット４０及び大入賞口ユニット５０に具備される裏機構の側面を被覆するものである。被覆部材６０は、ベース板４ｂの背面側から、スペーサ６及び始動口ユニット４０に取り付けられ、所定の透光性を有する部材によって形成されている。
【００３０】
また、被覆部材６０には、被覆部材６０を装飾する装飾シートを貼り付け可能な貼付領域６０ｄが設けられ、当該貼付領域６０ｄには、所定の絵柄（図中では、炎の絵柄）が描かれた装飾シートが貼り付けられている。
【００３１】
なお、被覆部材６０の具体的な構成や、始動口ソレノイド４０ｃ、及び大入賞口ソレノイド５０ｃとの位置関係などについては、後述する。
【００３２】
次に、図４を参照して、始動口ユニット４０、大入賞口ユニット５０、ベース板４ｂ、スペーサ６、被覆部材６０及び液晶表示装置５の配置関係について説明する。図４は、始動口ユニット４０、大入賞口ユニット５０、ベース板４ｂ、スペーサ６、被覆部材６０及び液晶表示装置５の配置関係を簡略化するとともに、遊技盤４の正面側から当該配置関係を示す分解斜視図である。なお、同図において、液晶表示装置５が取り付けられるベースドア２は、説明を容易にするために省略されている。
【００３３】
同図に示すように、始動口ユニット４０及び大入賞口ユニット５０は、ベース板４ｂの開口部４ｃ及び開口部４ｄに、当該ベース板４ｂの前面側から挿入される。また、ベース板４ｂの背面側には、始動口ユニット４０及び大入賞口ユニット５０に具備される裏機構の側面を被覆する被覆部材６０と、始動口ユニット４０及び大入賞口ユニット５０に具備される裏機構を設けるためのスペースを形成するためのスペーサ６とが配置される。さらに、被覆部材６０及びスペーサ６の背面側には、液晶表示装置５が配置されている。なお、液晶表示装置５は、正面側から見て被覆部材６０の内領域と液晶表示装置５の表示領域とが重なるように配置されている。
【００３４】
なお、本実施形態では、液晶表示装置５は、ベース板４ｂの背面側で、被覆部材６０の内側から外側に向けて光を照射可能な発光部を構成する。
【００３５】
また、本実施形態では、発光部は、液晶表示装置５によって構成されているものとして説明するが、これに限定されるものではなく、ＬＥＤ等によって構成されていてもよい。例えば、被覆部材６０によって被覆された始動口ユニット４０に具備される裏機構自体に、ＬＥＤが設けられていてもよい。
【００３６】
次に、図５を参照して、始動口ユニット４０、大入賞口ユニット５０及び被覆部材６０の具体的な構成について説明する。図５は、始動口ユニット４０、大入賞口ユニット５０及び被覆部材６０の分解斜視図である。
【００３７】
同図に示すように、始動口ユニット４０は、始動口取付板４０ａと、左右一対の可変翼片４０ｂと、始動口ソレノイド４０ｃとから構成される。
【００３８】
始動口取付板４０ａは、上述したように、ベース板４ｂに取り付けられる。また、始動口取付板４０ａは、透光性を有しない部材によって形成された始動口取付板４０ａの背面側に位置する始動口ユニット４０の機構を、始動口取付板４０ａの正面側から遊技者が視認できないようになっている。
【００３９】
一対の可変翼片４０ｂは、それぞれ始動口取付板４０ａに回動可能に取り付けられ、リンク部材（不図示）を介して、始動口ソレノイド４０ｃと接続されている。すなわち、始動口ソレノイド４０ｃが駆動することにより、一対の可変翼片４０ｂが、それぞれ外側方向へ回動し、入口が開閉するように構成される。
【００４０】
また、ベース板４ｂには、始動口ソレノイド４０ｃや、リンク部材などの始動口ユニット４０に具備される裏機構をベース板４ｂの前面側から装着するために、開口部４ｃが設けられている。
【００４１】
さらに、始動口ソレノイド４０ｃは、ベース板４ｂの背面側であって、正面側から見て始動口取付板４０ａと重なり合う位置に設けられ、可変翼片４０ｂを駆動するものであり、本実施形態では、駆動部を構成する。
【００４２】
また、大入賞口ユニット５０は、上述したように、始動口ユニット４０の下方に位置し、大入賞口取付板５０ａと、大入賞口扉５０ｂと、大入賞口ソレノイド５０ｃとから構成される。
【００４３】
大入賞口取付板５０ａは、上述したように、ベース板４ｂに取り付けられる。また、大入賞口取付板５０ａは、透光性を有しない部材によって形成された大入賞口取付板５０ａの背面側に位置する大入賞口ユニット５０の機構を、大入賞口取付板５０ａの正面側から遊技者が視認できないようになっている。
【００４４】
また、大入賞口扉５０ｂは、大入賞口取付板５０ａに回動可能に取り付けられ、リンク部材（不図示）を介して、大入賞口ソレノイド５０ｃと接続されている。すなわち、大入賞口ソレノイド５０ｃが駆動することにより、大入賞口取付板５０ａが前方に回動し、入口が開閉するように構成される。
【００４５】
また、ベース板４ｂには、大入賞口ソレノイド５０ｃや、リンク部材などの大入賞口ユニット５０に具備される裏機構をベース板４ｂの前面側から装着するために、開口部４ｄが設けられている。
【００４６】
さらに、大入賞口ソレノイド５０ｃは、ベース板４ｂの背面側であって、正面側から見て大入賞口取付板５０ａと重なり合う位置に設けられ、大入賞口扉５０ｂを駆動するものであり、本実施形態では、駆動部を構成する。
【００４７】
被覆部材６０は、ベース板４ｂの背面側に設けられ、少なくともベース板４ｂの正面側から遊技者が視認可能な始動口ソレノイド４０ｃ（駆動部）の側面を被覆するとともに、少なくともベース板４ｂの正面側から遊技者が視認可能な大入賞口ソレノイド５０ｃ（駆動部）の側面を被覆するものである。すなわち、被覆部材６０は、始動口ソレノイド４０ｃ（駆動部）の側面を被覆する第１の被覆部と、大入賞口ソレノイド５０ｃの側面を被覆する第２の被覆部とによって、一体成形されている。
【００４８】
また、同図に示すように、被覆部材６０には、開口部６０ａ及び開口部６０ｂが設けられている。被覆部材６０は、開口部６０ａを介して、始動口ソレノイド４０ｃや、リンク部材などの始動口ユニット４０に具備される裏機構の側面を被覆するとともに、開口部６０ｂを介して、大入賞口ソレノイド５０ｃや、リンク部材などの大入賞口ユニット５０に具備される裏機構の側面を被覆する。
【００４９】
すなわち、本実施形態では、被覆部材６０は、遊技者が正対するベース板４ｂの正面側から、遊技者が視認可能な始動口ユニット４０及び大入賞口ユニット５０の裏機構（始動口ソレノイド４０ｃ、大入賞口ソレノイド５０ｃ、リンク部材など）の外周側面を被覆する。なお、始動口ユニット４０及び大入賞口ユニット５０の裏機構の外周側面とは、始動口取付板４０ａ及び大入賞口取付板５０ａによって遊技者が視認できないように被覆された部分を除いた部分のことである。
【００５０】
さらに、被覆部材６０の下部には、開口部６０ｃが設けられ、始動口ユニット４０及び大入賞口ユニット５０に入球した遊技球を、ベースドア２に備えられた入賞球通路（不図示）へ排出できるように構成される。
【００５１】
また、被覆部材６０は、本実施形態では、遊技者が、ベース板４ｂの正面側から、始動口ソレノイド４０ｃ及び大入賞口ソレノイド５０ｃや、リンク部材などの始動口ユニット４０及び大入賞口ユニット５０に具備される裏機構の形状を視認困難とするとともに、所定の透光性（液晶表示装置５からの光を透過可能な透光性）を有する部材、例えば、スモーク状の半透明な部材によって形成されている。
【００５２】
被覆部材６０が、かかる部材によって形成されることによって、始動口ソレノイド４０ｃ及び大入賞口ソレノイド５０ｃや、リンク部材などの始動口ユニット４０及び大入賞口ユニット５０に具備される裏機構を遊技者に視認できないようにしつつ、ベースドア２に設けられている液晶表示装置５からの光を被覆部材６０によって拡散することができ、始動口ユニット４０及び大入賞口ユニット５０周辺を装飾する効果が増大する。
【００５３】
また、遊技者がベース板４ｂの正面側から視認することができる被覆部材６０の表面は、装飾用のシートが貼着できるように、平坦な形状（貼付領域６０ｄ）を有している。被覆部材６０の貼付領域６０ｄに装飾シート（例えば、炎の図柄が描かれた装飾シート）を貼り付けることができるようにすることにより、始動口ユニット４０及び大入賞口ユニット５０周辺の意匠性を容易に向上させることができる。
【００５４】
次に、図６及び図７を参照して、始動口ユニット４０及び大入賞口ユニット５０を遊技盤４に固定する方法について説明する。図６は、始動口ユニット４０、大入賞口ユニット５０及びベース板４ｂによって構成される遊技盤４の背面図である。
【００５５】
同図に示すように、始動口ユニット４０には、始動口ユニット４０を被覆部材６０に取り付けるための係止爪４２が設けられている。また、大入賞口ユニット５０には、始動口ユニット４０に受け入れられた遊技球を下方に誘導する誘導路５０ｄが設けられている。
【００５６】
被覆部材６０には、被覆部材６０をスペーサ６に取り付けるための係合孔６１ａ・係合孔６１ｂ及びねじ孔６１ｃ・ねじ孔６１ｄが設けられている。また、被覆部材６０には、始動口ユニット４０を被覆部材６０に取り付けるための係止爪６２が設けられている。
【００５７】
スペーサ６には、被覆部材６０をスペーサ６に取り付けるための係合爪６ａ・係合爪６ｂが設けられている。また、スペーサ６には、一般入賞口７０ａ〜一般入賞口７０ｄに入球し、一般入賞球誘導口７１ａ〜一般入賞球誘導口７１ｄを介してベース板４ｂの背面側に誘導された遊技球を下方に誘導する誘導路７３ａ〜誘導路７３ｄが設けられている。
【００５８】
具体的には、以下に示す通りである。図７は、始動口ユニット４０、大入賞口ユニット５０、ベース板４ｂ、スペーサ６及び被覆部材６０の配置関係を簡略化するとともに、遊技盤４の背面側から当該配置関係を示す分解斜視図である。
【００５９】
同図に示すように、被覆部材６０は、始動口ユニット４０の係止爪４２と被覆部材６０の係止爪６２とが係止されることにより、始動口ユニット４０に固定される。
【００６０】
また、被覆部材６０は、被覆部材６０の係合孔６１ａ・係合孔６１ｂにスペーサ６の係合爪６ａ・係合爪６ｂがともに係合され、被覆部材６０のねじ孔６１ｃ・ねじ孔６１ｄとスペーサ６に設けられたねじ孔６ｃ・ねじ孔６ｄとがともにねじ止めされることにより、遊技盤４に取り付けられるスペーサ６に固定される。すなわち、被覆部材６０は、スペーサ６及び始動口ユニット４０に固定されることにより、遊技盤４に固定される。
【００６１】
次に、図８及び図９を参照して、始動口ユニット４０に受け入れられた遊技球を下方に誘導する方法について説明する。図８は、大入賞口ユニット５０の裏機構が被覆部材６０に被覆された状態を示す斜視図である。
【００６２】
同図に示すように、被覆部材６０には、始動口ユニット４０に受け入れられた遊技球を下方に誘導する誘導樋６０ｅが設けられている。また、誘導樋６０ｅは、大入賞口ユニット５０に設けられた誘導路５０ｄに連通している。
【００６３】
図９は、始動口ユニット４０の裏機構が被覆部材６０に被覆された状態を示す斜視図である。同図に示すように、始動口ユニット４０には、始動口ユニット４０に受け入れられた遊技球を下方に誘導する誘導孔４０ｄが設けられている。また、誘導孔４０ｄは、被覆部材６０の誘導樋６０ｅに連通している。
【００６４】
すなわち、始動口ユニット４０に受け入れられた遊技球は、始動口ユニット４０の誘導孔４０ｄと被覆部材６０の誘導樋６０ｅと大入賞口ユニット５０の誘導路５０ｄとを介して、下方に誘導される。
【００６５】
次に、図１０及び図１１を参照して、大入賞口ユニット５０の構成について説明する。図１０は、大入賞口ユニット５０の構成を示す斜視図である。
【００６６】
同図に示すように、大入賞口ユニット５０は、大入賞口取付板５０ａ及び大入賞口ソレノイド５０ｃを有する大入賞口前側機構５１と、シーソーを駆動するシーソーソレノイドを有する大入賞口後側機構５２とによって構成される。また、大入賞口前側機構５１は、大入賞口前側機構５１に設けられた係合孔５１ｃ・係合孔５１ｄに大入賞口後側機構５２に設けられた係合爪５２ｃ・係合爪５２ｄが係合されることにより、大入賞口後側機構５２に固定される。
【００６７】
また、上述した誘導路５０ｄは、大入賞口前側機構５１と大入賞口後側機構５２との間に形成される。
【００６８】
具体的には、以下に示す通りである。図１１は、大入賞口ユニット５０の構成を示す分解斜視図である。
【００６９】
同図に示すように、大入賞口前側機構５１には、大入賞口前側機構５１を大入賞口後側機構５２に固定するためのねじ孔５１ａ・ねじ孔５１ｂ及び係合孔５１ｃ・係合孔５１ｄが設けられている。また、大入賞口後側機構５２には、大入賞口後側機構５２を大入賞口前側機構５１に固定するためのねじ孔５２ａ・ねじ孔５２ｂ及び係合爪５２ｃ・係合爪５２ｄが設けられている。
【００７０】
すなわち、大入賞口前側機構５１は、大入賞口前側機構５１のねじ孔５１ａ・ねじ孔５１ｂと大入賞口後側機構５２のねじ孔５２ａ・ねじ孔５２ｂとがともにねじ止めされ、大入賞口前側機構５１の係合孔５１ｃ・係合孔５１ｄに大入賞口後側機構５２の係合爪５２ｃ・係合爪５２ｄがともに係合されることによって、大入賞口後側機構５２に固定される。
【００７１】
また、大入賞口前側機構５１と大入賞口後側機構５２との間には、被覆部材６０の誘導樋６０ｅに連通し、始動口ユニット４０に受け入れられた遊技球を下方に誘導する誘導路５０ｄが形成されている。
【００７２】
（作用・効果）
本実施形態に係る弾球遊技機１０によれば、始動口ソレノイド４０ｃ及び大入賞口ソレノイド５０ｃ、すなわち、駆動部の露出を抑制することができるため、遊技者は、当該駆動部を視認困難となり、透明性を有する部材によって形成された遊技盤４のベース板４ｂ上に始動口ユニット４０及び大入賞口ユニット５０を配置する弾球遊技機１０の美観を向上させることができる。
【００７３】
また、被覆部材６０が、始動口ソレノイド４０ｃの側面を被覆する被覆部と始動口ソレノイド４０ｃの下方に近接して設けられた大入賞口ソレノイド５０ｃの側面を被覆する被覆部とによって一体成形されていることにより、複数の可変入賞装置が近接して遊技盤に設けられている際に、複数の可変入賞装置に対応する被覆部材をそれぞれ設ける場合に比べ、被覆部材の製造コストを低減することができる。
【００７４】
さらに、被覆部材６０が、装飾シートを貼り付け可能な貼付領域６０ｄを有することにより、貼付領域６０ｄに装飾シートを貼り付けて、遊技機の美観を更に高めることができる。
【００７５】
また、ベース板４ｂの背面側に設けられた液晶表示装置５が、所定の透光性を有する被覆部材６０を介して、正面側から見て被覆部材６０の内側から外側に向けて光を照射することにより、被覆部材６０自体が発光しているかのような印象を遊技者に与え、弾球遊技機１０の美観をさらに向上させることができる。
【００７６】
上述の効果に加え、本実施形態における弾球遊技機１０によれば、以下の問題を解決することができる。具体的には、以下に示す通りである。
【００７７】
従来、遊技ホールにおいて、遊技機が、島設備に背中合わせで配置されているが、始動口等の可変入賞装置に受け入れられた遊技球を下方に誘導するためには、可変入賞装置の背面側（又は、前面側）に、可変入賞装置に受け入れられた遊技球を下方に誘導する機構を設ける必要があった。従って、前面側から背面側方向への遊技機の厚みが増すとともに、当該遊技機が背中合わせで配置された島設備を設置するためのスペースが大きくなる（又は、背中合わせで配置された遊技機の背面側の機構等が、スペース面で制約を受ける）という問題があった。
【００７８】
しかしながら、本実施形態における弾球遊技機１０によれば、始動口ユニット４０の下方に設けられた大入賞口ユニット５０が、被覆部材６０に設けられた誘導樋６０ｅに連通された誘導路５０ｄを有することにより、始動口ユニット４０に受け入れられた遊技球を下方に誘導する機構を被覆部材６０の背面側（又は、前面側）に設けることなく、始動口ユニット４０に受け入れられた遊技球を下方に誘導することができる。また、被覆部材６０の背面側（又は、前面側）のスペースの省スペース化を図ることができ、前面側から背面側方向への弾球遊技機１０の厚みが増すことを防止することができる。
【００７９】
（その他の実施形態）
本発明は、上述した実施形態によって記載したが、この開示の一部をなす論述及び図面はこの発明を限定するものであると理解すべきではない。この開示から当業者には様々な代替実施の形態、実施例及び運用技術が明らかとなろう。
【００８０】
例えば、本実施形態に係る弾球遊技機１０では、被覆部材６０として、スモーク状の半透明の部材を用いることとしたが、不透明な部材を用いてもよい。また、遊技者がベース板４ｂの正面側から視認することができる被覆部材６０の表面は、平坦な形状ではなく、凸凹の形状であってもよい。
【００８１】
さらに、本実施形態では、始動口ソレノイド４０ｃと大入賞口ソレノイド５０ｃとを被覆部材６０によって被覆する形態としたが、始動口ソレノイド４０ｃを被覆する被覆部材と、大入賞口ソレノイド５０ｃを被覆する被覆部材とを別個に設けてもよい。
【００８２】
また、始動口ユニット４０や大入賞口ユニット５０に限らず、遊技盤４に設けられる他の電動役物に、被覆部材６０と同様の被覆部材を適用することもできる。
【００８３】
さらに、本実施形態では、弾球遊技機１０は、始動口ユニット４０に受け入れられた遊技球を大入賞口ユニット５０に設けられた誘導路５０ｄによって下方に誘導するように構成されているが、被覆部材６０のみによって下方に誘導するように構成されていてもよい。
【００８４】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【図面の簡単な説明】
【００８５】
【図１】本発明の実施形態に係る遊技機の全体斜視図である。
【図２】本発明の実施形態に係る遊技機に備えられる遊技盤の斜視図である。
【図３】本発明の実施形態に係る遊技機に備えられる始動口ユニット、大入賞口ユニット及び被覆部材の斜視図である。
【図４】本実施形態に係る始動口ユニット、大入賞口ユニット、ベース板、スペーサ、被覆部材及び液晶表示装置の配置関係を簡略化するとともに、遊技盤の正面側から当該配置関係を示す分解斜視図である。
【図５】本発明の実施形態に係る遊技機に備えられる始動口ユニット、大入賞口ユニット及び被覆部材の分解斜視図である。
【図６】本発明の実施形態に係る遊技盤の背面図である。
【図７】本発明の実施形態に係る始動口ユニット、大入賞口ユニット、ベース板、スペーサ及び被覆部材の配置関係を簡略化するとともに、遊技盤の背面側から当該配置関係を示す分解斜視図である。
【図８】本実施形態に係る大入賞口ユニットの裏機構が被覆部材に被覆された状態を示す斜視図である。
【図９】本実施形態に係る始動口ユニットの裏機構が被覆部材に被覆された状態を示す斜視図である。
【図１０】本実施形態に係る大入賞口ユニットの構成を示す斜視図である。
【図１１】本実施形態に係る大入賞口ユニットの構成を示す分解斜視図である。
【符号の説明】
【００８６】
１…外枠、２…ベースドア、３…ガラス扉、４…遊技盤、４ａ…遊技領域、４ｂ…ベース板、４ｃ，４ｄ…開口部、４ｅ・・・背面側ステージ、４ｆ・・・前面側ステージ、４ｇ・・・ワープ口、５・・・液晶表示装置、６・・・スペーサ、６ａ，６ｂ・・・係合爪、６ｃ，６ｄ・・・ねじ孔、１０…弾球遊技機、４０…始動口ユニット、４０ａ…始動口取付板、４０ｂ…可変翼片、４０ｃ…始動口ソレノイド、４０ｄ・・・誘導孔、４２・・・係止爪、５０…大入賞口ユニット、５０ａ…大入賞口取付板、５０ｂ…大入賞口扉、５０ｃ…大入賞口ソレノイド、５０ｄ・・・誘導路、５１・・・大入賞口前側機構、５１ａ，５１ｂ・・・ねじ孔、５１ｃ，５１ｄ・・・係合孔、５２・・・大入賞口後側機構、５２ａ，５２ｂ・・・ねじ孔、５２ｃ，５２ｄ・・・係合爪、６０…被覆部材、６０ａ，６０ｂ，６０ｃ…開口部、６０ｄ・・・貼付領域、６０ｅ・・・誘導樋、６１ａ，６１ｂ・・・係合孔、６１ｃ，６１ｄ・・・ねじ孔、６２・・・係止爪、７０ａ〜７０ｄ・・・一般入賞口、７１ａ〜７１ｄ・・・一般入賞球誘導口、７２・・・アウト口、７３ａ〜７３ｄ・・・誘導路
【図１】
2005192576.tif 000003
【図２】
2005192576.tif 000004
【図３】
2005192576.tif 000005
【図４】
2005192576.tif 000006
【図５】
2005192576.tif 000007
【図６】
2005192576.tif 000008
【図７】
2005192576.tif 000009
【図８】
2005192576.tif 000010
【図９】
2005192576.tif 000011
【図１０】
2005192576.tif 000012
【図１１】
2005192576.tif 000013